Podtech/llm-jp-corpus-v4-ja_patent huggingface dataset:
【手続補正書】
【提出日】平成27年6月10日(2015.6.10)
【手続補正１】
【補正対象書類名】特許請求の範囲
【補正対象項目名】全文
【補正方法】変更
【補正の内容】
【特許請求の範囲】
【請求項１】
所定の条件に基づいて当り外れの判定を行う当り外れ判定手段と、
前記当り外れの判定結果が当りの場合には特別図柄の停止図柄を当り図柄に決定し、前記当り外れの判定結果が外れの場合には前記停止図柄を外れ図柄に決定する停止図柄決定手段と、
前記当り外れの判定結果と前記決定された停止図柄とに基づいて、前記特別図柄を変動表示させて停止表示させる特別図柄変動表示手段と、
前記特別図柄の変動表示に合わせて、第１の識別要素と第２の識別要素とを有する演出図柄を変動表示させる演出図柄変動表示手段と、
前記特別図柄が当り図柄で停止表示されると、前記停止表示された当り図柄に応じて特別遊技を実行する特別遊技実行手段と、
を備え、
前記決定された特別図柄の停止図柄が前記当り図柄である場合には、前記演出図柄の変動表示を前記第１の識別要素と前記第２の識別要素とを一体化させた状態で前記特別図柄の変動表示と略同時に開始させ、前記特別図柄の停止表示に伴って前記演出図柄を停止表示させると共に、前記特別遊技の実行中に当該演出図柄に係る前記第１の識別要素を、前記第２の識別要素と分離した状態で表示させることを特徴とする遊技機。
【手続補正２】
【補正対象書類名】明細書
【補正対象項目名】０００７
【補正方法】変更
【補正の内容】
【０００７】
本発明の遊技機は、
所定の条件に基づいて当り外れの判定を行う当り外れ判定手段と、
前記当り外れの判定結果が当りの場合には特別図柄の停止図柄を当り図柄に決定し、前記当り外れの判定結果が外れの場合には前記停止図柄を外れ図柄に決定する停止図柄決定手段と、
前記当り外れの判定結果と前記決定された停止図柄とに基づいて、前記特別図柄を変動表示させて停止表示させる特別図柄変動表示手段と、
前記特別図柄の変動表示に合わせて、第１の識別要素と第２の識別要素とを有する演出図柄を変動表示させる演出図柄変動表示手段と、
前記特別図柄が当り図柄で停止表示されると、前記停止表示された当り図柄に応じて特別遊技を実行する特別遊技実行手段と、
を備え、
前記決定された特別図柄の停止図柄が前記当り図柄である場合には、前記演出図柄の変動表示を前記第１の識別要素と前記第２の識別要素とを一体化させた状態で前記特別図柄の変動表示と略同時に開始させ、前記特別図柄の停止表示に伴って前記演出図柄を停止表示させると共に、前記特別遊技の実行中に当該演出図柄に係る前記第１の識別要素を、前記第２の識別要素と分離した状態で表示させる
ことを要旨とする。
【手続補正書】
【提出日】平成27年2月26日(2015.2.26)
【手続補正１】
【補正対象書類名】特許請求の範囲
【補正対象項目名】全文
【補正方法】変更
【補正の内容】
【特許請求の範囲】
【請求項１】
傾動可能な電動役物と、所定条件の充足により遊技者にとって有利な特別遊技状態の生起の有無を決定する決定手段と、図柄を表示可能で、当該図柄を確定表示した際の表示態様によって、前記決定手段による決定結果を遊技者に報知するための図柄表示部と、当該図柄表示部における表示及び前記電動役物の傾動を制御する制御手段とを備えており、
前記図柄表示部は、前記電動役物に配置されて共に傾動可能とされており、
前記制御手段は、所定の遊技条件が満たされると、前記電動役物を傾動して前記図柄表示部を傾動させると共に、前記図柄表示部における前記図柄の表示位置を、前記図柄表示部を傾動させないときの表示位置に対してずらす
ことを特徴とする遊技機。
【手続補正２】
【補正対象書類名】明細書
【補正対象項目名】０００５
【補正方法】変更
【補正の内容】
【０００５】
上記目的を達成するために、請求項１に記載の発明は、傾動可能な電動役物と、所定条件の充足により遊技者にとって有利な特別遊技状態の生起の有無を決定する決定手段と、図柄を表示可能で、当該図柄を確定表示した際の表示態様によって、前記決定手段による決定結果を遊技者に報知するための図柄表示部と、当該図柄表示部における表示及び前記電動役物の傾動を制御する制御手段とを備えており、前記図柄表示部は、前記電動役物に配置されて共に傾動可能とされており、前記制御手段は、所定の遊技条件が満たされると、前記電動役物を傾動して前記図柄表示部を傾動させると共に、前記図柄表示部における前記図柄の表示位置を、前記図柄表示部を傾動させないときの表示位置に対してずらすことを特徴とするものである。
なお、上記発明にあって、前記制御手段は、前記図柄の表示位置を、傾動方向に沿う方向にずらすとした構成を採用することも可能である。そして、そのような構成を採用することにより、上記効果に加えて、擬似的な重力由来の滑りを表現する等、より一層傾動に連関した興味深い図柄の表示を提供することができる、という効果を奏する。
また、上記発明にあって、前記制御手段は、前記図柄におけるずらした側の一部を図柄表示部からはみ出させて切れたように表示するとした構成を採用することも可能である。そして、そのような構成を採用することにより、上記効果に加えて、興趣有るずれ表示を強調したり、更に変化に富んだ表示を提供したりして、より斬新な印象を与える遊技機を提供することができる、という効果を奏する。
【手続補正３】
【補正対象書類名】明細書
【補正対象項目名】０００６
【補正方法】変更
【補正の内容】
【０００６】
請求項１に記載の発明によれば、図柄表示部の傾動に従って図柄の表示位置をずらす。よって、図柄表示部の傾動及びこれと連関した図柄の表示の組合せにより、迫力のある印象を与えることのできる遊技性の高い遊技機を提供することができる、という効果を奏する。
【手続補正書】
【提出日】平成27年2月26日(2015.2.26)
【手続補正１】
【補正対象書類名】特許請求の範囲
【補正対象項目名】請求項１
【補正方法】変更
【補正の内容】
【請求項１】
所定条件の充足により遊技者にとって有利な特別遊技状態の生起の有無を決定する決定手段と、図柄を表示可能で、当該図柄に係る変動表示後の確定表示の態様によって、前記決定手段による決定結果を遊技者に報知するための図柄表示部と、当該図柄表示部における表示を制御する図柄制御手段とを備えており、
前記図柄制御手段は、所定の遊技条件が満たされると、前記変動表示につき、スクロール表示を経た状態で実行し、更に、前記図柄が、当該スクロール表示の方向に交わる方向へ図柄表示部からはみ出して切れたように表示される態様を含んだ状態で実行する
ことを特徴とする遊技機。
【手続補正２】
【補正対象書類名】明細書
【補正対象項目名】０００５
【補正方法】変更
【補正の内容】
【０００５】
上記目的を達成するために、請求項１に記載の発明は、所定条件の充足により遊技者にとって有利な特別遊技状態の生起の有無を決定する決定手段と、図柄を表示可能で、当該図柄に係る変動表示後の確定表示の態様によって、前記決定手段による決定結果を遊技者に報知するための図柄表示部と、当該図柄表示部における表示を制御する図柄制御手段とを備えており、前記図柄制御手段は、所定の遊技条件が満たされると、前記変動表示につき、スクロール表示を経た状態で実行し、更に、前記図柄が、当該スクロール表示の方向に交わる方向へ図柄表示部からはみ出して切れたように表示される態様を含んだ状態で実行することを特徴とするものである。
請求項２に記載の発明は、上記発明にあって、前記交わる方向は、スクロール表示の方向に直交する方向であることを特徴とするものである。
【手続補正書】
【提出日】平成27年2月25日(2015.2.25)
【手続補正１】
【補正対象書類名】特許請求の範囲
【補正対象項目名】全文
【補正方法】変更
【補正の内容】
【特許請求の範囲】
【請求項１】
光源から発せられた測定光を被検眼上で走査するための走査手段を有し、被検眼の断層画像を得るための撮像光学系と、
被検眼からの反射光を受光する受光素子を有し、被検眼の正面画像を取得する観察光学系と、
予め取得された前記断層画像又は前記正面画像を処理して被検眼のある前記特徴部位を画像処理により検出し、検出された前記特徴部位の位置に基づいて断層画像の取得位置を正面画像上に設定可能にする設定手段と、
前記観察光学系によって取得されるライブ動画像と、前記断層画像の取得位置が設定された前記正面画像との位置ずれを画像処理により検出し、検出結果に基づいて前記走査手段の駆動を制御し、前記特徴部位に対する走査位置を補正する駆動制御手段と、
を備えることを特徴とする眼科撮影装置。
【請求項２】
請求項１の眼科撮影装置において、
前記設定手段は、前記断層画像の取得位置が設定された前記正面画像を基準画像として設定し、該基準画像と，設定された断層画像の取得位置情報を記憶手段に記憶させ、
前記駆動制御手段は、前記記憶手段に記憶された前記基準画像と，前記観察光学系によって取得される現在の正面画像とを比較して、該基準画像に対する現在の正面画像の位置ずれを画像処理により検出し、その検出結果に基づいて前記走査手段の駆動を制御し、前記設定手段によって設定された被検眼上の取得位置に測定光をトラッキングすることを特徴とする眼科撮影装置。
【請求項３】
請求項１又は２の眼科撮影装置において、
前記設定手段は、前記断層画像又は前記正面画像から前記視神経乳頭を検出し、検出された前記視神経乳頭の位置に基づいて断層画像の取得位置を正面画像上に設定し、
前記駆動制御手段は、前記観察光学系によって取得されるライブ動画像と前記断層画像の取得位置が設定された前記正面画像との位置ずれを画像処理により検出し、検出結果に基づいて前記走査手段の駆動を制御し、前記視神経乳頭に対する走査位置を補正することを特徴とする眼科撮影装置。
【請求項４】
請求項１〜３のいずれかの眼科撮影装置において、
前記設定手段は、前記断層画像又は前記正面画像から前記黄斑を検出し、検出された前記黄斑の位置に基づいて断層画像の取得位置を正面画像上に設定し、
前記駆動制御手段は、前記観察光学系によって取得されるライブ動画像と前記断層画像の取得位置が設定された前記正面画像との位置ずれを画像処理により検出し、検出結果に基づいて前記走査手段の駆動を制御し、前記黄斑に対する走査位置を補正することを特徴とする眼科撮影装置。
【請求項５】
光源から発せられた測定光を被検眼上で走査するための走査手段を有し、被検眼の断層画像を得るための撮像光学系と、
被検眼からの反射光を受光する受光素子を有し、被検眼の正面画像を取得する観察光学系と、
予め取得された前記断層画像又は前記正面画像を処理して被検眼のある前記特徴部位を画像処理により検出し、検出された前記特徴部位の位置に基づいて、断層画像の取得位置を設定するための指標を正面画像上に表示し、断層画像の取得位置を設定可能とする設定手段と、
前記観察光学系によって取得されるライブ動画像と、前記断層画像の取得位置が設定された前記正面画像との位置ずれを画像処理により検出し、検出結果に基づいて前記走査手段の駆動を制御し、前記特徴部位に対する走査位置を補正する駆動制御手段と、
を備えることを特徴とする眼科撮影装置。
【手続補正２】
【補正対象書類名】明細書
【補正対象項目名】０００９
【補正方法】変更
【補正の内容】
【０００９】
（１）  本開示の第１態様に係る眼科撮影装置は、光源から発せられた測定光を被検眼上で走査するための走査手段を有し、被検眼の断層画像を得るための撮像光学系と、被検眼からの反射光を受光する受光素子を有し、被検眼の正面画像を取得する観察光学系と、予め取得された前記断層画像又は前記正面画像を処理して被検眼のある前記特徴部位を画像処理により検出し、検出された前記特徴部位の位置に基づいて断層画像の取得位置を正面画像上に設定可能にする設定手段と、前記観察光学系によって取得されるライブ動画像と、前記断層画像の取得位置が設定された前記正面画像との位置ずれを画像処理により検出し、検出結果に基づいて前記走査手段の駆動を制御し、前記特徴部位に対する走査位置を補正する駆動制御手段と、を備えることを特徴とする。
（２）  本開示の第２態様に係る眼科撮影装置は、光源から発せられた測定光を被検眼上で走査するための走査手段を有し、被検眼の断層画像を得るための撮像光学系と、被検眼からの反射光を受光する受光素子を有し、被検眼の正面画像を取得する観察光学系と、予め取得された前記断層画像又は前記正面画像を処理して被検眼のある前記特徴部位を画像処理により検出し、検出された前記特徴部位の位置に基づいて、断層画像の取得位置を設定するための指標を正面画像上に表示し、断層画像の取得位置を設定可能とする設定手段と、前記観察光学系によって取得されるライブ動画像と、前記断層画像の取得位置が設定された前記正面画像との位置ずれを画像処理により検出し、検出結果に基づいて前記走査手段の駆動を制御し、前記特徴部位に対する走査位置を補正する駆動制御手段と、を備えることを特徴とする。
【手続補正書】
【提出日】平成27年2月25日(2015.2.25)
【手続補正１】
【補正対象書類名】特許請求の範囲
【補正対象項目名】全文
【補正方法】変更
【補正の内容】
【特許請求の範囲】
【請求項１】
光源から発せられた測定光を被検眼上で走査するための走査手段を有し、被検眼の断層画像を得るための撮像光学系と、
被検眼からの反射光を受光する受光素子を有し、前記受光素子からの受光信号に基づいて被検眼の正面画像を得るための観察光学系と、
被検眼の正面画像を表示するモニタに表示された前記正面画像上で前記断層画像の取得位置を予め設定すると共に、設定された前記取得位置にて断層画像を取得する際の測定光の走査条件を設定可能な設定手段と、
前記観察光学系によって取得されるライブ動画像に基づいて前記走査手段の駆動を制御し、前記設定手段によって設定された被検眼上の取得位置に第１の走査条件にて測定光をトラッキングし、
第１の走査条件でトラッキングが実行された後、前記設定手段によって測定光の走査条件が変更されると、第１の走査条件にてトラッキングを行う際に前記設定手段によって予め設定された被検眼上の取得位置に第１の走査条件とは異なる第２の走査条件にて測定光をトラッキングするトラッキング制御手段と、
を備えることを特徴とする眼科撮影装置。
【請求項２】
請求項１の眼科撮影装置において、
前記設定手段は、走査条件として走査パターンを設定可能であって、
前記走査パターンに基づいて該走査パターンを示す指標を前記正面画像上に重畳して前記モニタに表示させ、走査パターンの変更に応じて、前記指標の表示パターンを変更する表示制御手段を備えることを特徴とする眼科撮影装置。
【請求項３】
請求項１又は２の眼科撮影装置において、
被検眼に固視標を投影する固視投影光学系を備え、
前記設定手段は、さらに、設定された前記取得位置にて断層画像を取得する際の固視標の呈示条件を設定可能な設定手段であって、
トラッキング制御手段は、さらに、
前記観察光学系によって取得されるライブ動画像に基づいて前記走査手段の駆動を制御し、前記設定手段によって設定された被検眼上の取得位置に第１の呈示条件にて測定光をトラッキングし、
第１の呈示条件でトラッキングが実行された後、前記設定手段によって固視標の呈示条件が変更されると、第１の呈示条件にてトラッキングを行う際に前記設定手段によって予め設定された被検眼上の取得位置に第１の呈示条件とは異なる第２の呈示条件にて測定光をトラッキングするトラッキング制御手段と、
を備えることを特徴とする眼科撮影装置。
【請求項４】
請求項１〜３のいずれかの眼科撮影装置において、
前記設定手段は、設定された第１の走査条件から第２の走査条件へと変更を行う際に、
前記第１の走査条件の走査基準位置と、第２の走査条件の走査基準位置と、が一致するように走査条件を変更することを特徴とする眼科撮影装置。
【請求項５】
光源から発せられた測定光を被検眼上で走査するための走査手段を有し、被検眼の断層画像を得るための撮像光学系と、
被検眼からの反射光を受光する受光素子を有し、前記受光素子からの受光信号に基づいて被検眼の正面画像を得るための観察光学系と、
断層画像を取得する際の測定光の撮影条件を設定可能な設定手段と、
前記観察光学系によって取得される正面画像に基づいて、被検眼における所定の撮影部位を走査するように、前記走査手段を制御し、トラッキングを実施するとともに、
前記設定手段によって撮影条件が変更された場合でも、撮影部位に関するトラッキングを実施するトラッキング制御手段と、
を備えることを特徴とする眼科撮影装置。
【手続補正２】
【補正対象書類名】明細書
【補正対象項目名】０００７
【補正方法】変更
【補正の内容】
【０００７】
（１）  本開示の第１態様に係る眼科撮影装置は、光源から発せられた測定光を被検眼上で走査するための走査手段を有し、被検眼の断層画像を得るための撮像光学系と、被検眼からの反射光を受光する受光素子を有し、前記受光素子からの受光信号に基づいて被検眼の正面画像を得るための観察光学系と、被検眼の正面画像を表示するモニタに表示された前記正面画像上で前記断層画像の取得位置を予め設定すると共に、設定された前記取得位置にて断層画像を取得する際の測定光の走査条件を設定可能な設定手段と、前記観察光学系によって取得されるライブ動画像に基づいて前記走査手段の駆動を制御し、前記設定手段によって設定された被検眼上の取得位置に第１の走査条件にて測定光をトラッキングし、第１の走査条件でトラッキングが実行された後、前記設定手段によって測定光の走査条件が変更されると、第１の走査条件にてトラッキングを行う際に前記設定手段によって予め設定された被検眼上の取得位置に第１の走査条件とは異なる第２の走査条件にて測定光をトラッキングするトラッキング制御手段と、を備えることを特徴とする。
（２）  本開示の第２態様に係る眼科撮影装置は、光源から発せられた測定光を被検眼上で走査するための走査手段を有し、被検眼の断層画像を得るための撮像光学系と、被検眼からの反射光を受光する受光素子を有し、前記受光素子からの受光信号に基づいて被検眼の正面画像を得るための観察光学系と、断層画像を取得する際の測定光の撮影条件を設定可能な設定手段と、前記観察光学系によって取得される正面画像に基づいて、被検眼における所定の撮影部位を走査するように、前記走査手段を制御し、トラッキングを実施するとともに、前記設定手段によって撮影条件が変更された場合でも、撮影部位に関するトラッキングを実施するトラッキング制御手段と、
を備えることを特徴とする。
【手続補正書】
【提出日】平成27年2月25日(2015.2.25)
【手続補正１】
【補正対象書類名】特許請求の範囲
【補正対象項目名】全文
【補正方法】変更
【補正の内容】
【特許請求の範囲】
【請求項１】
光源から発せられた測定光を被検眼上で走査するための走査手段を有し、被検眼の断層画像を得るための撮像光学系と、
被検眼からの反射光を受光する受光素子を有し、前記受光素子からの受光信号に基づいて被検眼の正面画像の動画像を得るための観察光学系と、
を備える、眼科撮影装置であって、
前記観察光学系によって取得された正面画像を動状態にてモニタに表示する一方、前記正面画像を静止状態にてモニタに表示すると共に、断層画像の取得位置を静止状態にて表示された前記正面画像上で設定可能とした表示制御手段と、
静止状態の前記正面画像上で設定された取得位置での断層画像が取得されるように前記走査手段を制御する駆動制御手段と、
を備えることを特徴とする眼科撮影装置。
【請求項２】
請求項１の眼科撮影装置において、
前記表示制御手段は、操作入力手段から入力される操作信号に基づいて動状態にて前記モニタに表示された前記正面画像を静止状態に切り換えると共に、前記操作入力手段から入力される操作信号に基づいて前記断層画像の取得位置を静止状態にて表示された前記正面画像上で設定可能としたことを特徴とする眼科撮影装置。
【請求項３】
請求項１又は２の眼科撮影装置において、
前記表示制御手段は、静止状態にて表示された前記正面画像上での設定が完了されると、前記モニタに静止状態にて表示された前記正面画像を動状態に切り換えることを特徴とする眼科撮影装置。
【請求項４】
請求項１〜３のいずれかの眼科撮影装置において、
前記駆動制御手段は、前記観察光学系によって取得される動状態の前記正面画像に基づいて前記走査手段の駆動を制御し、静止状態にて表示された前記正面画像上で設定された被検眼上の取得位置に測定光をトラッキングすることを特徴とする眼科撮影装置。
【請求項５】
請求項１〜４のいずれかの眼科撮影装置において、
撮影開始のトリガ信号に基づいて、断層画像の取得を開始する画像取得手段を備え、
前記表示制御手段は、前記画像取得手段による断層画像の取得を開始する前に、断層画像の取得位置を静止状態にて表示された前記正面画像上で設定可能とすることを特徴とする眼科撮影装置。
【手続補正２】
【補正対象書類名】明細書
【補正対象項目名】０００７
【補正方法】変更
【補正の内容】
【０００７】
（１）  本開示の第１態様に係る眼科撮影装置は、光源から発せられた測定光を被検眼上で走査するための走査手段を有し、被検眼の断層画像を得るための撮像光学系と、被検眼からの反射光を受光する受光素子を有し、前記受光素子からの受光信号に基づいて被検眼の正面画像の動画像を得るための観察光学系と、を備える、眼科撮影装置であって、前記観察光学系によって取得された正面画像を動状態にてモニタに表示する一方、前記正面画像を静止状態にてモニタに表示すると共に、断層画像の取得位置を静止状態にて表示された前記正面画像上で設定可能とした表示制御手段と、静止状態の前記正面画像上で設定された取得位置での断層画像が取得されるように前記走査手段を制御する駆動制御手段と、を備えることを特徴とする。
【手続補正書】
【提出日】平成27年2月24日(2015.2.24)
【手続補正１】
【補正対象書類名】特許請求の範囲
【補正対象項目名】全文
【補正方法】変更
【補正の内容】
【特許請求の範囲】
【請求項１】
光源と、
被検体を保持する保持板と、
前記保持板を支持する支持部と、
前記光源から光を照射された前記被検体から発生する音響波を、前記保持板を介して受信する探触子と、
を有し、
前記支持部と前記保持板との間に光反射部材を有する
ことを特徴とする被検体情報取得装置。
【請求項２】
前記支持部は、被検者の胸壁を支持する板状部材であり、当該板状部材の端部において前記保持板の端部と接合していることにより、被検体である前記被検者の乳房を前記保持板に導くことができる
ことを特徴とする請求項１に記載の被検体情報取得装置。
【請求項３】
前記光反射部材は、前記保持板に設けられている
ことを特徴とする請求項１または２に記載の被検体情報取得装置。
【請求項４】
前記光反射部材は、前記支持部に設けられている
ことを特徴とする請求項１または２に記載の被検体情報取得装置。
【請求項５】
前記光反射部材は、前記保持部と前記支持部の間に挿入されている
ことを特徴とする請求項１または２に記載の被検体情報取得装置。
【請求項６】
前記光反射部材は、前記支持部よりも反射率が高い部材である
ことを特徴とする請求項１ないし５のいずれか１項に記載の被検体情報取得装置。
【請求項７】
前記音響波に基づいて、前記被検体内部の特性情報を生成する処理部をさらに有する
ことを特徴とする請求項１ないし６のいずれか１項に記載の被検体情報取得装置。
【請求項８】
前記探触子は走査可能に構成され、複数の位置で光音響波を受信可能である
ことを特徴とする請求項１ないし７のいずれか１項に記載の被検体情報取得装置。
【手続補正書】
【提出日】平成26年12月18日(2014.12.18)
【手続補正１】
【補正対象書類名】特許請求の範囲
【補正対象項目名】全文
【補正方法】変更
【補正の内容】
【特許請求の範囲】
【請求項１】
液体を噴射するノズルを有する噴射ヘッドと、
前記液体を収容する液体収容体から前記噴射ヘッド側へと、前記液体を供給する液体供給部と、
前記液体供給部を介して前記ノズルへと前記液体を供給する液体流路と、
前記噴射ヘッドに対するメンテナンスを行うメンテナンス部と、を備えた液体噴射装置であって、
前記液体供給部はフィルター部を有し、前記液体収容体の液体供給口と前記フィルター部とが接触することで前記液体を前記液体収容体側から前記噴射ヘッド側へと供給し、
前記メンテナンス部は、前記液体収容体が取り外されることで前記液体供給口と前記フィルターとが離間し、前記フィルターと前記ノズルとの間における前記液体流路内の前記液体の蒸発量が前記ノズルの液体メニスカスが破壊される蒸発量を超えた場合にメンテナンス動作を実行することを特徴とする液体噴射装置。
【請求項２】
前記液体収容体が取り外された時間に基づいて前記液体の蒸発量に関する情報を取得することを特徴とする請求項１に記載の液体噴射装置。
【請求項３】
前記メンテナンス部は、吸引力を付与することで前記噴射ヘッドの前記ノズルから前記液体を排出させるキャッピング機構を含み、前記液体の蒸発量に応じて前記メンテナンス動作時における前記キャッピング機構の吸引力を変化させることを特徴とする請求項１又は２に記載の液体噴射装置。
【手続補正２】
【補正対象書類名】明細書
【補正対象項目名】０００８
【補正方法】変更
【補正の内容】
【０００８】
本発明の液体噴射装置は、液体を噴射するノズルを有する噴射ヘッドと、前記液体を収容する液体収容体から前記噴射ヘッド側へと、前記液体を供給する液体供給部と、前記液体供給部を介して前記ノズルへと前記液体を供給する液体流路と、前記噴射ヘッドに対するメンテナンスを行うメンテナンス部と、を備えた液体噴射装置であって、前記液体供給部はフィルター部を有し、前記液体収容体の液体供給口と前記フィルター部とが接触することで前記液体を前記液体収容体側から前記噴射ヘッド側へと供給し、前記メンテナンス部は、前記液体収容体が取り外されることで前記液体供給口と前記フィルターとが離間し、前記フィルターと前記ノズルとの間における前記液体流路内の前記液体の蒸発量が前記ノズルの液体メニスカスが破壊される蒸発量を超えた場合にメンテナンス動作を実行することを特徴とする。
【手続補正書】
【提出日】平成27年2月26日(2015.2.26)
【手続補正１】
【補正対象書類名】特許請求の範囲
【補正対象項目名】全文
【補正方法】変更
【補正の内容】
【特許請求の範囲】
【請求項１】
キャリッジに搭載され、記録媒体に向けて液体を噴射する液体噴射ヘッドを有する液体噴射装置本体と、
前記液体噴射装置本体の外部領域に配置された液体収容体と、
前記液体が収容された液体収容体から送られる液体を前記液体噴射ヘッドへと導き、前記キャリッジの前記移動に伴って追従変形する変形可動部を有する複数の液体供給チューブと、
を備える液体噴射装置において、
前記液体噴射ヘッドよりも前記記録媒体の搬送方向の下流側に、前記液体噴射ヘッドの走査方向に沿って配置される排紙フレームを有し、
前記排紙フレームは、前記記録媒体の表面を押さえる複数のローラーを有し、
前記液体供給チューブの一部は、前記排紙フレームに対して固定されて、前記液体供給チューブが前記キャリッジの前記移動に伴って追従変形することを特徴とする液体噴射装置。
【請求項２】
前記排紙フレームに固定され、前記液体供給チューブの一部が固定されるチューブ固定部材を有することを特徴とする請求項１に記載の液体噴射装置。
【請求項３】
前記排紙フレームに基端部が固定され、先端部に前記液体供給チューブの一部が固定されるチューブ固定部材を有することを特徴とする請求項２に記載の液体噴射装置。
【請求項４】
前記液体供給チューブは、複数本のチューブからなり、
前記先端部は、前記液体供給チューブを水平方向に並べて結束することを特徴とする請求項１から３のいずれか一項に記載の液体噴射装置。
【請求項５】
前記液体供給チューブは、複数本のチューブからなり、
前記先端部は、前記液体供給チューブを鉛直方向に並べて結束することを特徴とする請求項２または３に記載の液体噴射装置。
【請求項６】
前記液体供給チューブは、複数本のチューブが並列に連結された並列連結チューブであることを特徴とする請求項１から４のいずれか一項に記載の液体噴射装置。
【請求項７】
前記チューブ固定部材の先端部は、前記排紙フレームに平行に形成されることを特徴とする請求項３に記載の液体噴射装置。
【請求項８】
前記チューブ固定部材の基端部は、前記排紙フレームに沿う延長部位を有し、
前記延長部位は、前記排紙フレームの端部と一致することを特徴とする請求項３に記載の液体噴射装置。
【請求項９】
前記排紙フレームは前記記録媒体に対向する底面と前記搬送方向の下流側を向く前面を有し、
前記チューブ固定部材の基端部は、前記排紙フレームの底面及び前面に対して密着固定される形状に形成されることを特徴とする請求項３に記載の液体噴射装置。
【請求項１０】
前記排紙フレームは前記搬送方向の下流側を向く前面を有し、
前記チューブ固定部材の基端部は、前記排紙フレームの前面のみに対して密着固定される平板形状に形成されることを特徴とする請求項３に記載の液体噴射装置。
【請求項１１】
前記排紙フレームは、上面が開口する溝部を有し、
前記チューブ固定部材の基端部は、前記溝部に収容して前記走査方向に移動可能であることを特徴とする請求項３に記載の液体噴射装置。
【請求項１２】
前記チューブ固定部材の基端部は、前記溝部に取り付けられたねじにより前記溝部に押付けられて前記排紙フレームに固定されることを特徴とする請求項１１に記載の液体噴射装置。
【請求項１３】
前記排紙フレームよりも前記記録媒体の搬送方向の下流側に、内部空間を有することを特徴とする請求項１から３のいずれか一項に記載の液体噴射装置。
【手続補正書】
【提出日】平成27年2月26日(2015.2.26)
【手続補正１】
【補正対象書類名】特許請求の範囲
【補正対象項目名】全文
【補正方法】変更
【補正の内容】
【特許請求の範囲】
【請求項１】
キャリッジに搭載され、記録媒体に向けて液体を噴射する液体噴射ヘッドを有する液体噴射装置本体と、
前記液体噴射装置本体の外部領域に配置された液体収容体と、
前記液体が収容された液体収容体から送られる液体を前記液体噴射ヘッドへと導き、前記キャリッジの移動に伴って追従変形する変形可動部を有する複数の液体供給チューブと、
を備える液体噴射装置において、
前記液体噴射ヘッドの走査方向に沿って配置されて、前記キャリッジを往復動自在に支持し、前記走査方向に案内するガイドフレームを有し、
前記液体供給チューブの一部が前記ガイドフレームに対して直接固定されて、前記液体供給チューブが前記キャリッジの前記移動に伴って追従変形することを特徴とする液体噴射装置。
【請求項２】
前記液体供給チューブは、複数本のチューブであることを特徴とする請求項１に記載の液体噴射装置。
【請求項３】
前記液体供給チューブは、前記ガイドフレームの上面に対して水平方向に並べて配設されることを特徴とする請求項２に記載の液体噴射装置。
【請求項４】
前記液体供給チューブは、前記ガイドフレームの背面に対して鉛直方向に並べて配設されることを特徴とする請求項２に記載の液体噴射装置。
【請求項５】
前記液体供給チューブは、複数の流路が並列に一体形成された並列連結チューブであることを特徴とする請求項１から請求項４のいずれか一項に記載の液体噴射装置。
【請求項６】
前記液体噴射ヘッドに接続され、該液体噴射ヘッドに記録実行のためのデータ信号を送る可撓性を有するフレキシブルケーブルを有し、
前記液体供給チューブの変形可動部は、前記フレキシブルケーブルに対して水平方向において一致する方向に向けて配置されることを特徴とする請求項１から請求項５のいずれか一項に記載の液体噴射装置。
【請求項７】
前記液体噴射ヘッドに接続され、該液体噴射ヘッドに記録実行のためのデータ信号を送る可撓性を有するフレキシブルケーブルを有し、
前記液体供給チューブの変形可動部は、前記フレキシブルケーブルに対して水平方向において相反する方向に向けて配置されることを特徴とする請求項１から請求項５のいずれか一項に記載の液体噴射装置。
【請求項８】
前記液体噴射装置本体は、上面開口部を閉塞する蓋体を有し、
前記液体噴射装置本体の側壁に、前記蓋体を閉塞した際に開口する切欠部が形成され、
前記液体供給チューブのうち、前記ガイドフレームと前記液体収容体との間の追従変形しない部分が前記開口を経て配置されることを特徴とする請求項１から請求項７のいずれか一項に記載の液体噴射装置。
【請求項９】
前記切欠部は、前記ガイドフレームの前記記録媒体の搬送方向上流側に形成された溝状凹部に繋がるように形成されることを特徴とする請求項８に記載の液体噴射装置。
【請求項１０】
前記液体噴射装置本体は、上面開口部を閉塞する蓋体を有し、
前記液体噴射装置本体の上面側方に、前記液体供給チューブを覆って結束し、該液体供給チューブを閉塞させないスペーサが設けられ、
前記液体供給チューブのうち、前記ガイドフレームと前記液体収容体との間の追従変形しない部分が前記スペーサを経て配置されることを特徴とする請求項１から請求項９のいずれか一項に記載の液体噴射装置。
【請求項１１】
前記スペーサは、前記ガイドフレームの延在方向に配置されることを特徴とする請求項１０に記載の液体噴射装置。
【請求項１２】
前記ガイドフレームは、前記キャリッジを挟んで前記記録媒体搬送方向上流側と下流側の少なくとも一方であることを特徴とする液体噴射装置。
【手続補正書】
【提出日】平成27年2月10日(2015.2.10)
【手続補正１】
【補正対象書類名】特許請求の範囲
【補正対象項目名】全文
【補正方法】変更
【補正の内容】
【特許請求の範囲】
【請求項１】
記録装置であって、
装置本体と、
前記装置本体に設けられた案内部と、
媒体に液体を噴射する液体噴射ヘッド及び該液体噴射ヘッドに供給する前記液体を収容する液体収容部を備えて前記案内部により移動可能に設けられた移動体と、
前記移動体の移動領域において前記移動体の下方に設けられ、前記移動体の前記液体収容部に向けて光を発光可能な発光部と、前記液体収容部によって反射された光を受光する受光部と、を備えた光学的検出部と
前記装置本体の一部を構成するように設けられ、少なくとも前記光学的検出部の領域に対応して前記移動体の移動方向に沿って延設されたフレームと、を備え、
前記移動体の端部と前記移動領域に対向する前記記録装置本体の部材との間に隙間が形成され、
前記移動体には、前記隙間と前記光学的検出部との間の領域に外乱光が入射するのを減じるための前記隙間に突出する突出部が設けられ、
前記突出部と前記フレームとは、互いに前記移動体の前記移動方向に直交する方向にて重なりを有する
ことを特徴とする記録装置。
【請求項２】
前記光学的検出部は、前記光学的検出部の周辺部位よりも前記キャリッジ側に突出する壁部を有することを特徴とする記録装置。
【請求項３】
前記フレームは、前記液体噴射ヘッドによって液体が吐出された媒体を排出する排出ローラーを備えている
ことを特徴とする記録装置。
【請求項４】
前記遮光部は、光吸収色に着色されていることを特徴とする請求項１〜請求項３の何れか一項に記載の記録装置。
【請求項５】
前記光学的検出部の周辺部位は、光吸収色に着色されていることを特徴とする請求項１〜請求項４の何れか一項に記載の記録装置。
【請求項６】
前記遮光部は、前記移動体から前記光学的検出部に向かう方向と交差する方向に突設されていることを特徴とする請求項１〜請求項５の何れか一項に記載の記録装置。
【手続補正２】
【補正対象書類名】明細書
【補正対象項目名】００１５
【補正方法】変更
【補正の内容】
【００１５】
また、本発明の記録装置において、前記遮光部は、前記移動体から前記光学的検出部に向かう方向と交差する方向に突設されている。
上記構成によれば、光学的検出部と移動体との間の隙間が小さくとも、その隙間の外側となる位置から庇状に遮光部を任意の長さで突設することができるので、十分な外乱光対策を取ることができる。
また、本発明の記録装置は、装置本体と、前記装置本体に設けられた案内部と、液体を噴射する液体噴射ヘッド及び該液体噴射ヘッドに供給する前記液体を収容する液体収容部を備えて前記案内部により移動可能に設けられた移動体と、前記移動体の移動領域において前記移動体の下方に設けられ、前記移動体の前記液体収容部に向けて光を発光可能な発光部と、前記液体収容部によって反射された光を受光する受光部と、を備えた光学的検出部と前記装置本体の一部を構成するように設けられ、少なくとも前記光学的検出部の領域に対応して前記移動体の移動方向に沿って延設されたフレームと、を備え、前記移動体の端部と前記移動領域に対向する前記記録装置本体の部材との間に隙間が形成され、前記移動体には、前記隙間と前記光学的検出部との間の領域に外乱光が入射するのを減じるための前記隙間に突出する突出部が設けられ、前記突出部と前記フレームとは、互いに前記移動体の前記移動方向に直交する方向にて重なりを有することを特徴とする。
また、本発明の記録装置は、前記光学的検出部は、前記光学的検出部の周辺部位よりも前記キャリッジ側に突出する壁部を有することを特徴とする。
さらに、本発明の記録装置は、前記フレームは、前記液体噴射ヘッドによって液体が吐出された媒体を排出する排出ローラーを備えていることを特徴とする。
【手続補正書】
【提出日】平成27年2月10日(2015.2.10)
【手続補正１】
【補正対象書類名】特許請求の範囲
【補正対象項目名】全文
【補正方法】変更
【補正の内容】
【特許請求の範囲】
【請求項１】
キャリッジに搭載され、記録媒体に向けて液体を噴射する液体噴射ヘッドを有する液体噴射装置本体と、
前記液体が収容された液体収容体から送られる液体を前記液体噴射ヘッドへと導き、前
記液体噴射ヘッドの前記移動に伴って追従変形する変形可動部を有する液体供給チューブ
と、
を備える液体噴射装置において、
前記液体噴射ヘッドと前記記録媒体を排出する領域を含む排出口とで形成される内部空
間を有し、前記内部空間に前記液体収容体が配置されることを特徴とする液体噴射装置。
【請求項２】
前記排出口は、用紙排出領域と用紙排出領域以外の空間とからなることを特徴とする請
求項１に記載の液体噴射装置。
【請求項３】
前記液体収容体は、前記記録媒体の搬送経路に重畳する領域に配置されることを特徴と
する請求項１に記載の液体噴射装置。
【請求項４】
前記液体噴射ヘッドの走査方向に沿って架け渡されるチューブ固定部材を備え、
前記液体供給チューブの一部が前記チューブ固定部材に対して固定されて、前記液体供
給チューブが前記チューブ固定部材と前記キャリッジとの間に架け渡されることを特徴と
する請求項１に記載の液体噴射装置。
【請求項５】
前記チューブ固定部材は、平板形部材であることを特徴とする請求項４に記載の液体噴
射装置。
【請求項６】
前記内部空間のうち、前記記録媒体の搬送経路よりも上方に配置される平板部を有する
インク載置台を備え、
前記平板部に前記液体収容体が載置されることを特徴とする請求項１に記載の液体噴射
装置。
【請求項７】
前記インク載置台は、前記キャリッジの走査方向の両端側に前記平板部を支持する脚部
を有し、
前記インク載置台は、用紙排出領域を前記用紙排出領域以外から跨いて配置されること
を特徴とする請求項６に記載の液体噴射装置。
【請求項８】
前記内部空間は、前記液体噴射装置本体を覆う装置ハウジングの上面開口部から露出し
、
前記インク載置台は、前記キャリッジの走査方向の両端側に前記平板部を前記上面開口
部から前記内部空間に吊り下げる吊下部を有し、
前記インク載置台は、用紙排出領域を前記用紙排出領域以外から吊り下げて配置される
ことを特徴とする請求項６に記載の液体噴射装置。
【請求項９】
前記液体収容体を複数有し、前記複数の液体収容体が前記キャリッジの走査方向に沿っ
て配置されることを特徴とする請求項１に記載の液体噴射装置。
【請求項１０】
前記液体収容体を複数有し、前記複数の液体収容体が前記記録媒体の搬送方向に沿って
配置されることを特徴とする請求項１に記載の液体噴射装置。
【請求項１１】
前記液体収容体を複数有し、前記複数の液体収容体が鉛直方向に沿って配置されること
を特徴とする請求項１に記載の液体噴射装置。
【請求項１２】
キャリッジに搭載され、記録媒体に向けて液体を噴射する液体噴射ヘッドを有する液体噴射装置本体と、
前記液体が収容された液体収容体から送られる液体を前記液体噴射ヘッドへと導き、前
記液体噴射ヘッドの前記移動に伴って追従変形する変形可動部を有する液体供給チューブ
と、
を備える液体噴射装置において、
前記液体収容体を複数有し、前記複数の液体収容体のうちの一部が前記液体噴射装置本体外部に配置され、前記液体収容体のうちの残部が前記液体噴射装置の外部に配置されることを特徴とする請求項１に記載の液体噴射装置。
【請求項１３】
前記前記液体噴射装置本体の前記排出口側の前面には、傾斜機構を有する操作部を有し
、
前記操作部は、傾斜した状態で固定されることを特徴とする請求項１に記載の液体噴射
装置。
【請求項１４】
前記前記液体噴射装置本体の前記排出口側の前面には、操作部を有し、
前記操作部は、前記液体噴射装置本体の上方に配置される蓋体に設けられることを特徴
とする請求項１に記載の液体噴射装置。
【請求項１５】
前記液体噴射装置本体の上方に、記録媒体の画像を読み取る画像読取装置が密着可能に
配置され、
前記内部空間が、前記画像読取装置と重畳する領域に形成されることを特徴とする請求
項１に記載の液体噴射装置。
【請求項１６】
キャリッジに搭載され、記録媒体に向けて液体を噴射する液体噴射ヘッドを有する液体噴射装置本体と、
前記液体が収容された液体収容体から送られる液体を前記液体噴射ヘッドへと導き、前記液体噴射ヘッドに前記液体を導く液体供給チューブと、
を備える液体噴射装置において、
前記キャリッジには、前記液体収容体からの液体を貯留するインクカートリッジアダプタと、前記液体を貯留するインクカートリッジとが装着されることを特徴とする液体噴射装置。
【請求項１７】
前記液体収容体は、前記液体噴射装置本体内部の内部空間に装着されることを特徴とする請求項１６記載の液体噴射装置。
【請求項１８】
前記液体収容体は、前記液体噴射装置本体の外部に装着されることを特徴とする請求項１６記載の液体噴射装置。
【請求項１９】
前記液体収容体は、黒色のインクであることを特徴とする請求項１６−１８記載の液体噴射装置。
【手続補正書】
【提出日】平成27年2月10日(2015.2.10)
【手続補正１】
【補正対象書類名】特許請求の範囲
【補正対象項目名】全文
【補正方法】変更
【補正の内容】
【特許請求の範囲】
【請求項１】
キャリッジに搭載され、記録媒体に向けて液体を噴射するた液体噴射ヘッドを有する液体噴射装置本体と、
前記液体噴射装置本体の外部領域配置された液体収容体と、
前記液体が収容された液体収容体から送られる液体を前記液体噴射ヘッドへと導き、前
記キャリッジの前記移動に伴って追従変形する変形可動部を有する複数の液体供給チュー
ブと、
を備える液体噴射装置において、
前記液体供給チューブは、複数の経路に配置されることを特徴とする液体噴射装置。
【請求項２】
前記液体供給チューブは、前記液体噴射ヘッドよりも前記記録媒体の搬送方向の上流側
と下流側の複数の経路に配置されることを特徴とする請求項１に記載の液体噴射装置。
【請求項３】
前記液体噴射ヘッドよりも前記記録媒体の搬送方向の上流側で前記キャリッジの走査方
向の一方側を経由する上流一方側経路と、
前記液体噴射ヘッドよりも前記記録媒体の搬送方向の下流側で前記キャリッジの走査方
向の一方側を経由する下流一方側経路と、
を有することを特徴とする請求項２に記載の液体噴射装置。
【請求項４】
前記液体噴射ヘッドよりも前記記録媒体の搬送方向の上流側で前記キャリッジの走査方
向の他方側を経由する上流他方側経路と、
前記液体噴射ヘッドよりも前記記録媒体の搬送方向の下流側で前記キャリッジの走査方
向の一方側を経由する下流一方経路と、
を有することを特徴とする請求項２に記載の液体噴射装置。
【請求項５】
前記液体噴射ヘッドよりも前記記録媒体の搬送方向の上流側で前記キャリッジの走査方
向の他方側を経由する上流他方側経路と、
前記液体噴射ヘッドよりも前記記録媒体の搬送方向の下流側で前記キャリッジの走査方
向の他方側を経由する下流他方側経路と、
を有することを特徴とする請求項２に記載の液体噴射装置。
【請求項６】
前記液体噴射ヘッドよりも前記記録媒体の搬送方向の上流側で前記キャリッジの走査方
向の一方側を経由する上流一方側経路と、
前記液体噴射ヘッドよりも前記記録媒体の搬送方向の下流側で前記キャリッジの走査方
向の他方側を経由する下流他方側経路と、
を有することを特徴とする請求項２に記載の液体噴射装置。
【請求項７】
前記液体噴射ヘッドよりも前記記録媒体の搬送方向の下流側で前記キャリッジの走査方
向の一方側を経由する下流一方側経路と、
前記液体噴射ヘッドよりも前記記録媒体の搬送方向の下流側で前記キャリッジの走査方
向の他方側を経由する下流他方側経路と、
前記液体噴射ヘッドよりも前記記録媒体の搬送方向の上流側で前記キャリッジの走査方
向の一方側を経由する上流一方側経路と、
を有することを特徴とする請求項２に記載の液体噴射装置。
【請求項８】
前記液体噴射ヘッドよりも前記記録媒体の搬送方向の下流側で前記キャリッジの走査方
向の一方側を経由する下流一方側経路と、
前記液体噴射ヘッドよりも前記記録媒体の搬送方向の下流側で前記キャリッジの走査方
向の他方側を経由する下流他方側経路と、
前記液体噴射ヘッドよりも前記記録媒体の搬送方向の上流側で前記キャリッジの走査方
向の他方側を経由する上流他方側経路と、
を有することを特徴とする請求項２に記載の液体噴射装置。
【請求項９】
前記液体噴射ヘッドよりも前記記録媒体の搬送方向の下流側で前記キャリッジの走査方
向の一方側を経由する下流一方側経路と、
前記液体噴射ヘッドよりも前記記録媒体の搬送方向の上流側で前記キャリッジの走査方
向の一方側を経由する上流一方側経路と、
前記液体噴射ヘッドよりも前記記録媒体の搬送方向の上流側で前記キャリッジの走査方
向の他方側を経由する上流他方側経路と、
を有することを特徴とする請求項２に記載の液体噴射装置。
【請求項１０】
前記液体噴射ヘッドよりも前記記録媒体の搬送方向の下流側で前記キャリッジの走査方
向の他方側を経由する下流他方側経路と、
前記液体噴射ヘッドよりも前記記録媒体の搬送方向の上流側で前記キャリッジの走査方
向の一方側を経由する上流一方側経路と、
前記液体噴射ヘッドよりも前記記録媒体の搬送方向の上流側で前記キャリッジの走査方
向の他方側を経由する上流他方側経路と、
を有することを特徴とする請求項２に記載の液体噴射装置。
【請求項１１】
前記液体噴射ヘッドよりも前記記録媒体の搬送方向の下流側で前記キャリッジの走査方
向の一方側を経由する下流一方側経路と、
前記液体噴射ヘッドよりも前記記録媒体の搬送方向の下流側で前記キャリッジの走査方
向の他方側を経由する下流他方側経路と、
前記液体噴射ヘッドよりも前記記録媒体の搬送方向の上流側で前記キャリッジの走査方
向の一方側を経由する上流一方側経路と、
前記液体噴射ヘッドよりも前記記録媒体の搬送方向の上流側で前記キャリッジの走査方
向の他方側を経由する上流他方側経路と、
を有することを特徴とする請求項２に記載の液体噴射装置。
【手続補正書】
【提出日】平成27年2月13日(2015.2.13)
【手続補正１】
【補正対象書類名】特許請求の範囲
【補正対象項目名】全文
【補正方法】変更
【補正の内容】
【特許請求の範囲】
【請求項１】
浴用成分（１）として少なくとも炭酸塩（２）を含有し、浴湯に溶解させた場合にアルカリ性を示す浴用剤であって、これにスケールの発生を抑制するためのピロリン酸塩（３）を配合していることを特徴とする新規浴用剤。
【請求項２】
ピロリン酸塩（３）を浴用剤全量に対して１〜１０質量％、望ましくは３〜６質量％で配合していることを特徴とする請求項１記載の新規浴用剤。
【請求項３】
浴湯に均等に溶解させた場合のｐＨ９〜１１、望ましくはｐＨ８〜１０であることを特徴とする請求項１または２に記載の新規浴用剤。
【手続補正２】
【補正対象書類名】明細書
【補正対象項目名】０００７
【補正方法】変更
【補正の内容】
【０００７】
上記目的を達成するために、本発明の新規浴用剤は、請求項１として、浴用成分として少なくとも炭酸塩を含有し、浴湯に溶解させた場合にアルカリ性を示す浴用剤であって、これにスケールの発生を抑制するためのピロリン酸塩が配合していることを特徴とする。
請求項２は、請求項１記載の新規浴用剤において、ピロリン酸塩を浴用剤全量に対して１〜１０質量％、望ましくは３〜６質量％で配合量していることを特徴とする。
請求項３は、請求項１または２記載の新規浴用剤において、浴湯に均等に溶解させた場合のｐＨ９〜１１、望ましくはｐＨ８〜１０であることを特徴とする。
【手続補正３】
【補正対象書類名】明細書
【補正対象項目名】００１４
【補正方法】変更
【補正の内容】
【００１４】
本発明の浴用剤には、浴湯への投入後に速やかに溶解しうる溶解性と、浴湯のｐＨ調整が求められる。そのため、浴湯に均等に溶解させた場合、ｐＨ９〜１１、望ましくはｐＨ８〜１０のアルカリ性を示すように調整した。
尚、ｐＨが９未満であると、湯ざわり、つるつる感やすべすべ感といった感触を楽しむことができなくなるおそれがある。反対にｐＨが１１を超えると、皮膚に対する刺激が強くなり、肌が敏感な人などに対しては好ましくない。
【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
外部容器と、
その内部に収容され、可撓性を有する合成樹脂製の内部容器とからなり、
前記内部容器を外部容器内に収納することによって少なくとも２以上の独立し、かつ、並列した収納部に区画される二重容器の製造方法であって、
前記外部容器内に内部容器用の内プリフォームを収容し、
前記外部容器内で内プリフォームをブロー成型して内部容器を成形する、
二重容器の製造方法。
【請求項２】
前記２以上の内部容器が外部容器内に並列して収容されている、
請求項１記載の二重容器の製造方法。
【請求項３】
前記外部容器の開口部に連結され、内プリフォームの開口部を保持するホルダーを介して前記外部容器内に内プリフォームを収容する、
請求項１記載の二重容器の製造方法。
【請求項４】
前記外部容器が合成樹脂製であって、
外部容器用の外プリフォーム内に前記内プリフォームを収容し、
前記内プリフォームを収容した外プリフォームを外部容器用金型に収容し、
外部容器用金型内で外プリフォームをブローして外部容器を成形し、
前記外部容器内で内プリフォームをブローして内部容器を成形する、
請求項１記載の二重容器の製造方法。
【請求項５】
前記外プリフォームの開口部に連結され、内プリフォームの開口部を保持するホルダーを介して前記外プリフォーム内に内プリフォームを収容する、
請求項５記載の二重容器の製造方法。
【請求項６】
前記内部容器内が並列した２以上の独立した空間に区画されている、
請求項１記載の二重容器の製造方法。
【請求項７】
外部容器と、
その内部に収容され、可撓性を有する合成樹脂製の内部容器とからなる二重容器の製造方法であって、
前記外部容器の開口部に連結され、内プリフォームの開口部を保持するホルダーを介して前記外部容器内に内プリフォームを収容し、
前記外部容器内で内プリフォームをブロー成型して内部容器を成形する、
二重容器の製造方法。
【請求項８】
前記外部容器が合成樹脂製であって、
前記外プリフォームの開口部に連結され、内プリフォームの開口部を保持するホルダーを介して前記外プリフォーム内に内プリフォームを収容し、
前記内プリフォームを収容した外プリフォームを外部容器用金型に収容し、
外部容器用金型内で外プリフォームをブローして外部容器を成形し、
前記外部容器内で内プリフォームをブローして内部容器を成形する、
請求項７記載の二重容器の製造方法。
【請求項９】
前記内部容器の開口部にバルブを連結し、
前記外部容器の開口部を閉じる、
請求項１〜８いずれか記載の二重容器の製造方法。
【請求項１０】
前記バルブがエアゾールバルブである、
請求項９記載の二重容器の製造方法。
【請求項１１】
請求項１０記載の二重容器によって製造される二重エアゾール容器。
【請求項１２】
外部容器と、
その内部に収容され、可撓性を有する合成樹脂製の内部容器と、
その内部容器に連結されるエアゾールバルブと、
外部容器の開口部を閉じるカバーキャップとからなる二重エアゾール容器であって、
前記外部容器の開口部に、内部容器を支持する上下に貫通する保持部を備えたホルダーを有する、
二重エアゾール容器。
【請求項１３】
前記内部容器の上端に開口フランジ部が形成されており、
前記保持部の内面に段部が形成されており、
前記開口フランジ部と段部とが係合することにより内部容器を支持する、
請求項１２記載の二重エアゾール容器。
【請求項１４】
前記内部容器を複数備えた、
請求項１２記載の二重エアゾール容器。